(57)【要約】【課題】この発明は、自動販売機が販売する商品の選択購入、販売促進、宣伝効果、注目度等を高めることができる鏡面付き見本の提供を目的とする。【解決手段】鏡面付き見本の一例である幅広型見本１を自動販売機Ａの見本陳列部Ａａに対し正面向きに設置する。見本陳列部Ａａの内部或いは外部の光源Ｃから照射される光が、見本体２の張出し部３に形成された鏡面部８で反射される。その反射光によって幅広型見本１及び／又は見本部４Ａの周辺が光り輝くことになる。つまり、幅広型見本１及び／又は見本部４Ａが目立つことになり、人の注目を引くことができるので、注目度の高い商品が積極的に選択及び購入されやすく、商品の販売促進、売上向上を図ることができる。また、幅広型見本１及び／又は見本部４Ａを照明で発光させるか照光する必要がなく、自動販売機Ａの消費電力を抑えて、省エネルギー化及び維持費の低減を図ることができる。【選択図】図４
2010277301.tif 000002
【特許請求の範囲】
【請求項１】
自動販売機の見本陳列部に設置される見本体に、該自動販売機が販売する商品と酷似する表示内容が印刷された鏡面付き見本であって、
前記見本体の外面及び／又は該見本体に取り付けられる表示体の外面に、光源から照射される光を反射する鏡面部を設けた
鏡面付き見本。
【請求項２】
前記鏡面部が、前記見本体の表面より前方へ張り出すように形成され、前記商品と酷似する外観形状に形成された見本部の外面に設けられた
請求項１に記載の鏡面付き見本。
【請求項３】
前記鏡面部が、前記見本体及び／又は見本部に形成された透明部の外面に設けられた
請求項１又は２に記載の鏡面付き見本。
【請求項４】
前記鏡面部が、前記外面の一部又は全体にインク或いは塗料を塗布して形成された
請求項１〜３のいずれか一つに記載の鏡面付き見本。
【請求項５】
前記鏡面部が、前記外面の一部又は全体に表面処理を施して形成された
請求項１〜３のいずれか一つに記載の鏡面付き見本。
【請求項６】
前記鏡面部が、前記外面の一部又は全体に鏡面体を貼り付けて形成された
請求項１〜３のいずれか一つに記載の鏡面付き見本。
【発明の詳細な説明】
【技術分野】
【０００１】
この発明は、例えば缶型、瓶型、ボトル型、箱型、袋型等の商品を販売する自動販売機において、該商品の選択購入、販売促進、宣伝広告、注目度等を高めるために用いられる鏡面付き見本に関する。
【背景技術】
【０００２】
従来、前記自動販売機の消費電力を抑える方法としては、例えば自動販売機の近傍に人が居るのを近接センサで検出したとき、その検出時に出力される検出信号に基づいて、サンプル表示棚に内装されたアンダーライト用の蛍光灯が点灯され、サンプル表示棚上に並べられたサンプル商品が照光される。また、自動販売機の近傍に人がいない場合、近接センサから検出信号が出力されず、アンダーライト用の蛍光灯が消灯されている特許文献１の自動販売機の照明制御装置がある。
【０００３】
他の方法としては、例えばお客様が飲料等を購入する際に、自動販売機に人が近づくと、顧客検出装置から出力される検出信号に基づいて、コントロールパネル部の照明が点灯される。また、自動販売機に人が近づくまでは、顧客検出装置から検出信号が出力されず、コントロールパネル部の照明が消灯されている特許文献１の販売待機時コントロールパネル部を消灯する自動販売機がある。
【０００４】
しかし、夜間において、自動販売機の検知範囲に人が入るまでは、蛍光灯等の照明が消灯されているので、自動販売機が近くに設置されていることや、購入したい商品が有ることを知らせることが難しく、遠方にいる人の注目を引くことが難しい。また、自動販売機に人が近づいた際に、サンプル商品の全体が照光されるが、自動販売機の存在を知らせるか人の注目を引くためだけに、自動販売機全体の照明を点灯しなければならず、自動販売機の消費電力が大きく、維持費が高くなる。
【先行技術文献】
【特許文献】
【０００５】
【特許文献１】特開平４−２９５９８８
【特許文献２】特開平６−４４４４９
【発明の概要】
【発明が解決しようとする課題】
【０００６】
この発明は、自動販売機が販売する商品の選択購入、販売促進、宣伝効果、注目度等を高めることができる鏡面付き見本を提供することを目的とする。
【課題を解決するための手段】
【０００７】
この発明は、自動販売機の見本陳列部に設置される見本体に、該自動販売機が販売する商品と酷似する表示内容が印刷された鏡面付き見本であって、前記見本体の外面及び／又は該見本体に取り付けられる表示体の外面に、光源から照射される光を反射する鏡面部を設けた鏡面付き見本であることを特徴とする。
【０００８】
この発明の態様として、前記鏡面部を、前記見本体の表面より前方へ張り出すように形成され、前記商品と酷似する外観形状に形成された見本部の外面に設けることができる。
【０００９】
また、この発明の態様として、前記鏡面部を、前記見本体及び／又は見本部に形成された透明部の外面に設けることができる。
【００１０】
また、この発明の態様として、前記鏡面部を、前記外面の一部又は全体にインク或いは塗料を塗布して形成することができる。
【００１１】
また、この発明の態様として、前記鏡面部を、前記外面の一部又は全体に表面処理を施して形成することができる。
【００１２】
また、この発明の態様として、前記鏡面部が、前記外面の一部又は全体に鏡面体を貼り付けて形成することができる。
【００１３】
前記鏡面付き見本は、例えば同一形状或いは異なる形状の見本部が複数配置された幅広型見本で構成される。また、鏡面付き見本は、例えば真空成形、加圧成形、ブロー成形、押出し成形等の成形方法で成形される。  
見本部は、自動販売機が販売する商品の一例として、例えば缶型、瓶型、ボトル型、箱型等の商品と酷似する外観及び意匠に形成された縦断半割り形状(例えば半円筒形状、半矩形状等)に構成される。
【００１４】
鏡面部は、例えば乾燥した際に表面が鏡面となるか、乾燥した際に光沢が出るようなメタリック調やクローム調のインク或いは塗料を、スクリーン印刷或いは塗布する等して構成される。
【００１５】
また、例えばメッキ処理、蒸着処理、鏡面加工等の鏡面となる表面処理を、見本体及び／又は表示体の外面に施す等して構成される。  
また、例えばアルミ箔等の金属箔、樹脂フィルム、反射テープ等の鏡面性を有する鏡面体を、見本体及び／又は表示体の外面に貼り付ける等して構成される。
【００１６】
なお、見本体及び表示体は、例えばポリアセタール、ポリプロピレン、ポリエチレン、ポリエステル、ポリカーボネード、アクリル等の透光性を有するプラスチック、或いは、透明なプラスチックや着色された半透明なプラスチックで構成される。
【００１７】
光源は、例えば蛍光灯、白熱灯、発光素子等の照明、或いは、太陽、月、炎等の自然物で構成される。
【発明の効果】
【００１８】
この発明によれば、鏡面付き見本に向けて光源から照射される光が、見本体及び／又は表示体に形成された鏡面部によって反射されるとともに、その鏡面部が反射する反射光によって、見本体及び／又は表示体が光源から照射される少ない光量で光り輝くことになる。これにより、夜間でも、鏡面付き見本及び／又は表示体が目立つことになるので、自動販売機が近くに設置されていることや、購入したい商品が有ることを知らせることができる。また、自動販売機に近づく人や商品を購入しようとする人、或いは、遠方にいる人の注目を引くことができるので、注目度の高い商品が積極的に選択及び購入されやすく、商品の販売促進、売上向上を図ることができる。
【図面の簡単な説明】
【００１９】
【図１】鏡面付きの幅広型見本が設置された自動販売機を示す正面図。
【図２】複数の見本部が並列配置された幅広型見本を示す斜視図。
【図３】鏡面部が形成された幅広型見本及びその設置構造を示す正面図。
【図４】見本陳列部に設置された幅広型見本を示す中央縦断側面図。
【図５】鏡面部が形成された部分の層構造を示す縦断側面図。
【図６】見本部の表面側に鏡面部が部分的に形成された幅広型見本の他の例を示す正面図。
【図７】半円筒形状及び半矩形状の見本部が並列配置された幅広型見本の他の例を示す斜視図。
【図８】見本部の裏面側に鏡面部が形成された幅広型見本のその他の例を示す水平断面図。
【図９】図８の鏡面部が形成された部分を示す拡大断面図
【図１０】複数の見本部を備えた幅広型見本に鏡面体が貼り付けられるその他の例を示す斜視図。
【図１１】半円筒形状及び半矩形状の見本部を備えた幅広型見本に鏡面体が貼り付けられるその他の例を示す斜視図。
【図１２】幅広型見本に鏡面部付きの表示体が取り付けられるその他の例を示す斜視図。
【図１３】複数の見本部を備えた幅広型見本に表示体が取り付けられるその他の例を示す斜視図。
【図１４】半円筒形状及び半矩形状の見本部を備えた幅広型見本に表示体が取り付けられるその他の例を示す斜視図。
【発明を実施するための形態】
【実施例】
【００２０】
図１は、鏡面付きの幅広型見本１が設置された自動販売機Ａを示す正面図、図２は、複数の見本部４Ａが並列配置された幅広型見本１を示す斜視図、図３は、鏡面部８が形成された幅広型見本１及びその設置構造を示す正面図、図４は、見本陳列部Ａａに設置された幅広型見本１を示す中央縦断側面図、図５は、鏡面部８が形成された部分の層構造を示す縦断側面図である。
【００２１】
実施例の幅広型見本１は、図１、図３、図４に示すように、自動販売機Ａの前面に設けられた見本陳列部Ａａ内に設置され、該自動販売機Ａが販売する商品の選択購入、販売促進、宣伝効果、注目度等を高める際に用いられるものである。
【００２２】
幅広型見本１は、商品の販売イメージと対応する模様が印刷された透光性を有するプラスチック製シートを用いて、図示しない真空成形装置によって見本体２が真空成形されている。
【００２３】
見本体２は、図２〜図４に示すように、見本陳列部Ａａの陳列パネルＡｂ上に設置される３個の見本Ｂを並列配置してなる横幅より幅広に形成され、該陳列パネルＡｂ上に設置が許容される奥行及び高さに形成されている。  
また、見本体２の中央表面には、商品の販売イメージと対応する自然の風景を模した山形の張出し部３が該見本体２の表面より前方へ張り出すように形成されている。
【００２４】
張出し部３の表面には、自動販売機Ａが販売する缶型の商品と酷似する外観及び意匠に形成され、該商品の前側半分と対応する縦断半割り形状の見本部４Ａが３個形成されている。  
また、見本部４Ａは、張出し部３の表面より前方へ張り出すように形成され、見本の一例である缶型の商品の前側半分と対応する曲率半径でもって半円筒形状に形成されている。
【００２５】
見本部４Ａを除いて、該見本部４Ａの周辺に当たる張出し部３の外面である表面には、前記幅広型見本１の表面に向けて光源Ｃから照射される光を反射するための鏡面部８が形成されている。
【００２６】
見本部４Ａの表面には、自動販売機Ａが販売する缶型の商品に印刷された表示内容と同一か、或いは、該表示内容と酷似する内容（例えば商標、文字、模様、図柄、色彩等）が印刷されている。また、表示内容を印刷する代わりに、表示内容が印刷された表示ラベルを貼着してもよい。
【００２７】
前記張出し部３の下部表面には、該見本体２と同一幅の台座部５が幅方向に形成されている。また、台座部５は、陳列パネルＡｂ上に設置が許容される前後幅に形成され、見本部４Ａの表面より前方へ張り出した状態に形成されている。
【００２８】
台座部５の中央下面には、図３、図４に示すように、陳列パネルＡｂの陳列面に開口された平面視丸形状の開口部Ａｃに対し係合される横断面視半円形状の第１挿入部６が形成されている。また、第１挿入部６を中心とする台座部５の左右下面には、第１挿入部６が係合される開口部Ａｃの左右に開口された開口部Ａｃに対し係合される横断面視台形状の第２挿入部７が形成されている。
【００２９】
第１挿入部６の下端部外周面には、開口部Ａｃの下面側周縁部に係止される凸状の鍔部６ａが周方向に連続して形成されている。また、鍔部６ａより上方の外周面には、開口部Ａｃの前側周縁部が係止される凹状の溝部６ｂが周方向に連続して形成されている。
【００３０】
第１挿入部６の前側外周面には、開口部Ａｃの前側周縁部に形成された凹状の切欠き部Ａｄに係止される凸状の突起６ｃが形成されている。また、第１挿入部６の両側外周面には、開口部Ａｃの両側周縁部に形成された凹状の切欠き部Ａｅに係止される凸状の突起６ｄが形成されている。
【００３１】
つまり、見本体２の第１挿入部６を陳列パネルＡｂの開口部Ａｃに上方から挿入し、左右の第２挿入部７を左右の開口部Ａｃにそれぞれ挿入する。また、第１挿入部６の鍔部６ａを開口部Ａｃの周縁部に係止し、第１挿入部６の溝部６ｂを開口部Ａｃの周縁部に係止して抜止めする。また、第１挿入部６の突起６ｃ，６ｄと開口部Ａｃの切欠き部Ａｄ，Ａｅを合致して位置決めする。  
これにより、幅広型見本１が、自動販売機Ａの前面と対応して見本体２の表面が正面向きとなるように、見本陳列部Ａａ内の陳列パネルＡｂ上に対し略鉛直に起立した状態に設置固定される。
【００３２】
前記鏡面部８は、図５の（ａ）に示すように、張出し部３の見本部４Ａを除いて、見本部４Ａの周辺に当たる張出し部３の表面全体に形成されている。  
鏡面部８は、例えば照明、太陽等の光源Ｃから照射される光を反射する鏡面層８ａと、商品の販売イメージと対応する表示内容の表示層８ｂとからなる。
【００３３】
鏡面層８ａは、見本部４Ａの周辺に当たる見本体２の表面全体に、乾燥した際に表面が鏡面となる銀色のインクをスクリーン印刷して形成されている。  
また、鏡面層８ａの表面には、該鏡面部８に向けて照射される光を反射するための鏡面が形成されている。また、インクの代わりに、例えばアルミニウム、その他の金属等を塗布又は蒸着するなどして形成してもよい。  
なお、鏡面部８の鏡面層８ａは、例えばメッキ処理、蒸着処理、鏡面加工等の表面処理で形成してもよい。
【００３４】
鏡面層８ａの上（表面）には、商品の販売イメージと対応する表示内容の表示層８ｂが透光性を有するインクでスクリーン印刷されている。  
また、表示層８ｂを、商品に印刷された表示内容と同一又は酷似する内容（例えば商標、文字、模様、図柄、色彩等）に変更してもよい。
【００３５】
なお、図５の（ｂ）に示すように、表示層８ｂの上（表面）に、該表示層８ｂの表示内容の読み取りが許容される透明層８ｃを透明インクでスクリーン印刷してもよい。これにより、表示層８ｂの表面が傷付く或いは剥離するのを防止することができ、耐久性及び耐候性の向上を図ることができる。
【００３６】
見本部４Ａを除く、見本体２及び張出し部３の外面である表面側には、例えば商標、文字、模様、図柄等の表示内容を施すか、キャッチコピー、メッセージなどの宣伝広告文、或いは、茶葉、茶畑、花、樹木等の植物、或いは、空や海、山、川等の自然、或いは、犬や猫、鳥等の動物等の表示内容が施されている。
【００３７】
図示実施例は前記の如く構成するものにして、以下、前記自動販売機Ａの見本陳列部Ａａに、前記鏡面部８が形成された幅広型見本１を設置した際の作用及び効果を説明する。
【００３８】
先ず、幅広型見本１を、自動販売機Ａの前面と対応して見本体２の表面が正面向きとなるように、見本陳列部Ａａの陳列パネルＡｂ上に対し略鉛直に起立した状態に設置固定する。
【００３９】
つまり、図４に示すように、見本陳列部Ａａに設置された幅広型見本１に向けて、該見本陳列部Ａａの内部或いは外部に設置された光源Ｃから照射される光が、見本体２の張出し部３に形成された鏡面部８によって反射される。また、その鏡面部８が反射する反射光によって、幅広型見本１及び／又は見本部４Ａの周辺が光り輝くことになる。
【００４０】
これにより、夜間でも、幅広型見本１及び／又は見本部４Ａが目立つことになるので、自動販売機Ａが近くに設置されていることや、購入したい商品が有ることを知らせることができる。
【００４１】
また、自動販売機Ａに近づく人や商品を購入しようとする人、或いは、遠方にいる人の注目を引くことができるので、注目度の高い商品が積極的に選択及び購入されやすく、商品の販売促進、売上向上を図ることができる。
【００４２】
また、光源Ｃから照射される光量が少なくても、鏡面部８が反射する反射光によって、幅広型見本１及び／又は見本部４Ａの周辺を光り輝かせることができるので、自動販売機Ａの存在を知らせるか人の注目を引くためだけに、幅広型見本１及び／又は見本部４Ａを照明で発光させるか照光する必要がなく、自動販売機Ａの消費電力を抑えて、省エネルギー化及び維持費の低減を図ることができる。
【００４３】
図６は、見本部４Ａの外面である表面側に対し鏡面部８が部分的に形成された幅広型見本１の他の例を示す正面図である。  
本例の見本体２及び張出し部３の表面を除く、３個の見本部４Ａの表面には鏡面部８が形成されている。また、鏡面部８は、中央に配置された見本部４Ａの上端表面及び下部表面と、左右に配置された見本部４Ａの上部表面及び下部表面の一部に形成されている。
【００４４】
つまり、幅広型見本１に向けて照射される照明や太陽の光が、該見本部４Ａの表面に形成された鏡面部８によって反射されるので、見本陳列部Ａａに陳列された幅広型見本１の見本部４Ａを見て購入する商品を選択する際に、見本陳列部Ａａに陳列された他の見本Ｂに比べて、鏡面部８が表面に形成された見本部４Ａの方が目立つことになる。これにより、前記実施例と略同等の作用及び効果を奏することができる。
【００４５】
なお、一つ又は二つの見本部４Ａの表面に鏡面部８を形成してもよい。また、見本体２及び見本部４Ａの表面に鏡面部８を形成してもよい。
【００４６】
図７は、見本体２の表面に張出し部３が形成されておらず、見本体２の略フラットに形成された表面に半円筒形状の見本部４Ａと半矩形状の見本部４Ｂが並列配置された幅広型見本１の他の例を示す斜視図である。
【００４７】
本例の見本体２は、２個の見本Ｂを並列配置してなる横幅より幅広に形成されている。また、正面から見て見本体２の右側表面には、半円筒形状の見本部４Ａが形成されている。また、見本体２の左側表面には、半矩形状の見本部４Ｂが形成されている。
【００４８】
また、見本部４Ａ，４Ｂの表面を除いて、見本部４Ａ，４Ｂの周辺に当たる見本体２の外面である表面側には鏡面部８が形成されている。
【００４９】
つまり、幅広型見本１に向けて照射される照明や太陽の光が、見本体２の表面に形成された鏡面部８によって反射されるので、見本陳列部Ａａに陳列された他の見本Ｂに比べて、鏡面部８が周辺に形成された見本部４Ａ，４Ｂの方が目立つことになる。これにより、前記実施例と略同等の作用及び効果を奏することができる。
【００５０】
なお、鏡面部８を、見本部４Ａ，４Ｂの少なくとも一方の表面に形成してもよい。また、見本部４Ａ，４Ｂの一部表面に形成するか、見本体２及び見本部４Ａ，４Ｂの表面に形成してもよい。
【００５１】
図８は、見本部４Ａの外面である裏面側に鏡面部８が形成された幅広型見本１のその他の例を示す水平断面図、図９は、図８の鏡面部８が形成された部分を示す拡大断面図である。
【００５２】
見本部４Ａの張出し側表面部には、該見本部４Ａの裏面に印刷された表示層８ｂの読み取りが許容される透明部４ｂが形成されている。  
また、見本部４Ａの外面である裏面側には、前記光源Ｃから照射される光を反射するための鏡面層８ａが形成されている。  
また、透明部４ｂと鏡面層８ａとの間には、商品に印刷された表示内容と同一又は酷似する内容（例えば商標、文字、模様、図柄、色彩等）の表示層８ｂが形成されている。
【００５３】
つまり、見本部４Ａの透明部４ｂを透して、見本体２の裏面側に印刷された表示層８ｂが透けて見えるので、見本部４Ａの外側から表示層８ｂの表示内容を読み取ることができる。
【００５４】
また、見本部４Ａに向けて光源Ｃから照射される光が、該見本部４Ａの透明部４ｂを通って裏面側の鏡面部８によって反射されるので、見本陳列部Ａａに陳列された他の見本Ｂに比べて、鏡面部８が形成された見本部４Ａの方が目立つことになる。これにより、前記実施例と略同等の作用及び効果を奏することができる。
【００５５】
なお、鏡面部８を、見本部４Ａを除いて、見本部４Ａの周辺に当たる透明に形成された見本体２或いは張出し部３の裏面側に形成してもよい。また、鏡面部８を、透明に形成された見本部４Ｂの裏面側に形成してもよい。
【００５６】
図１０は、幅広型見本１に、シート状の鏡面体１１が貼り付けられるその他の例を示す斜視図である。  
鏡面体１１は、見本部４Ａを除いて、張出し部３の表面全体が覆われる大きさ及び形状に形成されている。また、鏡面体１１の外面である表面側には、見本体２の見本部４Ａと対応して開口部１１ａが形成されている。また、開口部１１ａは、見本部４Ａの嵌め込みが許容される大きさ及び形状に形成されている。
【００５７】
鏡面体１１の裏面側には、開口部１１ａを除いて、光源Ｃから照射される光を反射するための鏡面部８が形成されている。また、鏡面部８の裏面側には、鏡面体１１を貼り付けるために必要な図示しない粘着剤が塗布されている。なお、粘着剤の代わりに、両面粘着テープを用いてもよい。
【００５８】
つまり、裏面側に粘着剤が塗布された鏡面体１１を、見本体２の見本部４Ａを除く張出し部３の表面側に貼り付けることにより、幅広型見本１に向けて光源Ｃから照射される光が、見本部４Ａの周辺に形成された鏡面体１１の鏡面部８によって反射されるので、見本陳列部Ａａに陳列された他の見本Ｂに比べて、鏡面部８が周辺に形成された見本部４Ａの方が目立つことになる。これにより、前記実施例と略同等の作用及び効果を奏することができる。
【００５９】
また、鏡面体１１を、張出し部３を除いた見本体２の残りの表面側に貼り付けるか、所望する大きさ及び形状に形成された鏡面体１１を、見本体２及び／又は張出し部３の表面側に貼り付けてもよく、実施例の大きさ及び形状、貼り付け箇所のみに限定されるものではない。
【００６０】
図１０の鏡面体１２を貼り付ける構成は、図１１に示す幅広型見本１にも適用することができる。  
図１１は、シート状の鏡面体１２が貼り付けられる半円筒形状及び半矩形状の見本部４Ａ，４Ｂを備えた幅広型見本１のその他の例を示す斜視図である。
【００６１】
鏡面体１２の外面である裏面側には、見本部４Ａ，４Ｂを除いて鏡面部８が形成されている。また、鏡面体１２の表面側には、見本体２の見本部４Ａ，４Ｂと対応して、該見本部４Ａ，４Ｂの嵌め込みが許容される開口部１２ａ，１２ｂが形成されている。
【００６２】
つまり、見本部４Ａ，４Ｂを除いて、見本部４Ａ，４Ｂの周辺に当たる見本体２の表面に、シート状の鏡面体１２を貼り付けてもよく、前記実施例と略同等の作用及び効果を奏することができる。
【００６３】
図１２は、前記鏡面部８が裏面側に形成されたシート状の表示体１８の幅広型見本１を示す斜視図である。  
表示体１８の外面である表面側には、前記商品に関連した販売促進情報（例えば新発売、キャンペーン中、キャッチコピー、メッセージなどの宣伝広告文、或いは、宣伝広告用の商標、文字、模様、図柄、入替中等）が印刷されている。
【００６４】
つまり、表示体１８の支持部１８ｂを見本体２の上端側に覆い被せて、支持部１８ｂの係止片１８ｃを見本体２の上端側後縁部に係止すれば、表示体１８が幅広型見本１の表面側に取り付けられる。また、見本体２の見本部４Ａが表示体１８の窓部１８ａから露出される。
【００６５】
さらに、幅広型見本１に向けて光源Ｃから照射される光が、表示体１８に形成された鏡面部８によって反射されるので、幅広型見本１或いは見本部４Ａが目立つことになり、前記実施例と略同等の作用及び効果を奏することができる。  
なお、鏡面部８を、表示体１８の裏面側或いは表面側に対し貼り付け自在に設けてもよい。
【００６６】
図１３の（ｃ）〜（ｅ）は、３個の見本部４Ａを備えた幅広型見本１に、前記鏡面部８が外面である裏面側に形成されたシート状の表示体１８Ｃ〜１８Ｉを取り付けるその他の例を示す斜視図である。  
（ｃ）に示す見本体２の上部表面には、弧状の表示体１８Ｃが前方に向けて突き出した状態に取り付けられている。また、見本部４の中央表面には、帯状の表示体１８Ｄが巻き付けた状態に取り付けられている。また、見本部４の上部平面には、旗状の表示体１８Ｅが起立した状態に取り付けられている。
【００６７】
（ｄ）に示す見本体２の上部表面には、表示体１８Ｆが側面から見て略半円形状に湾曲して取り付けられている。また、見本体２の下部表面には、表示体１８Ｇが前方に向けてへ字状に突き出した状態に取り付けられている。
【００６８】
（ｅ）に示す見本体２の上部表面には、フラットに形成された表示体１８Ｈが見本体２の上部表面に沿って取り付けられている。また、見本体２の表面には、見本体２の横幅より大径に形成され、中央部に窓部１８Ｉａが開口された丸形状の表示体１８Ｉが取り付けられている。
【００６９】
つまり、幅広型見本１に向けて光源Ｃから照射される光が、表示体１８Ｃ〜１８Ｉに形成された鏡面部８によって反射されるので、幅広型見本１或いは見本部４Ａが目立つことになり、前記実施例と略同等の作用及び効果を奏することができる。
【００７０】
図１４の（ｆ）〜（ｉ）は、見本部４Ａ，４Ｂを備えた幅広型見本１に、前記鏡面部８が外面である裏面側に形成されたシート状の表示体１８Ｊ〜１８Ｍを取り付けるその他の例を示す斜視図である。
【００７１】
（ｆ）に示す表示体１８Ｊは、見本体２の左側表面、上部表面、下部表面が覆われる大きさ及び形状に形成されている。また、表示体１８Ｊの右側には、見本部４Ａを露出するための窓部１８Ｊａが開口されている。
【００７２】
（ｇ）に示す表示体１８Ｋは、見本部４Ａの上部平面及び見本部４Ｂが覆われる大きさ及び形状に形成されている。また、表示体１８Ｋの右側上面には、正面から見て略半円形状の表示部１８Ｋａが起立した状態に形成されている。
【００７３】
（ｈ）に示す表示体１８Ｌは、見本部４Ａの上部平面及び見本部４Ｂが覆われる大きさ及び形状に形成されている。また、表示体１８Ｌの左側は、上方から見て略半円形状に湾曲され、見本部４Ｂが覆われる状態に取り付けられる。また、表示体１８Ｌの上端には、フラットに形成された略半円形状の表示部１８Ｌａが一体的に形成されている。
【００７４】
（ｉ）に示す表示体１８Ｍは、中央部に形成された折り目に沿って上方から見て三角形状に折り曲げられる。また、表示体１８Ｍの裏側へ折り返された両側縁部は、見本部４Ｂの表面に取り付けられる。
【００７５】
つまり、幅広型見本１に向けて光源Ｃから照射される光が、表示体１８Ｊ〜１８Ｍに形成された鏡面部８によって反射されるので、幅広型見本１或いは見本部４Ａ，４Ｂが目立つことになり、前記実施例と略同等の作用及び効果を奏することができる。  
なお、鏡面部８を、表示体１８Ｊ〜１８Ｍの裏面側或いは表面側に対し貼り付け自在に設けてもよい。
【００７６】
この発明の構成と、前記実施形態との対応において、  
この発明の鏡面付き見本は、実施例の幅広型見本１に対応し、  
以下同様に、
外面は、見本体２と、張出し部３と、見本部４Ａ，４Ｂと、鏡面体１１，１２と、表示体１８，１８Ｃ〜１８Ｍの表面側及び裏面側に対応するも、
この発明は、上述の実施形態の構成のみに限定されるものではなく、請求項に示される技術思想に基づいて応用することができ、多くの実施の形態を得ることができる。
【００７７】
なお、鏡面部８の鏡面を、例えば波状や凹凸状に形成してもよく、光源Ｃから照射される光が乱反射されるので、平坦な鏡面で反射するよりも輝き方が増し、幅広型見本１及び／又は見本部４Ａを目立たせることができる。
【００７８】
また、本発明の幅広型見本１の構成は、自動販売機Ａが販売する商品と酷似する外観及び意匠に形成された独立した見本にも適用することができ、実施例の鏡面付き見本Ａのみに用途が限定されるものではない。
【符号の説明】
【００７９】
Ａ…自動販売機
Ａａ…見本陳列部
Ａｂ…陳列パネル
Ａｃ…開口部
Ｃ…光源
１…幅広型見本
２…見本体
３…張出し部
４Ａ，４Ｂ…見本部
４ｂ…透明部
５…台座部
６…第１挿入部
７…第２挿入部
８…鏡面部
８ａ…鏡面層
８ｂ…表示層
８ｃ…透明層
１１，１２…鏡面体
１８，１８Ｃ〜１８Ｍ…表示体
【図１】
2010277301.tif 000003
【図２】
2010277301.tif 000004
【図３】
2010277301.tif 000005
【図４】
2010277301.tif 000006
【図５】
2010277301.tif 000007
【図６】
2010277301.tif 000008
【図７】
2010277301.tif 000009
【図８】
2010277301.tif 000010
【図９】
2010277301.tif 000011
【図１０】
2010277301.tif 000012
【図１１】
2010277301.tif 000013
【図１２】
2010277301.tif 000014
【図１３】
2010277301.tif 000015
【図１４】
2010277301.tif 000016